(57)【要約】【課題】広い視野で高精度な被検眼の後眼部の観察を簡便に行うための技術を提供する。【解決手段】実施形態に係る眼科装置は、光源からの光を所定の偏向角度範囲内で偏向する走査光学系を含み、走査光学系により偏向された光源からの光を被検眼の後眼部に照射可能に構成された光学ユニットと、被検眼の瞳位置またはその近傍位置を基準に光学ユニットを所定の移動角度範囲内で移動させる移動機構と、スキャン領域を分割することにより得られた複数のサブスキャン領域の各サブスキャン領域内で偏向パターンに基づいて光源からの光を偏向するように走査光学系を制御し、移動パターンに基づいてサブスキャン領域間を移動するように移動機構を制御する制御部と、を含む。【選択図】図１
2018187431.tif 000002
【特許請求の範囲】
【請求項１】
光源からの光を所定の偏向角度範囲内で偏向する走査光学系を含み、前記走査光学系により偏向された前記光源からの光を被検眼の後眼部に照射可能に構成された光学ユニットと、
前記被検眼の瞳位置またはその近傍位置を基準に前記光学ユニットを所定の移動角度範囲内で移動させる移動機構と、
スキャン領域を分割することにより得られた複数のサブスキャン領域の各サブスキャン領域内で偏向パターンに基づいて前記光源からの光を偏向するように前記走査光学系を制御し、移動パターンに基づいて前記サブスキャン領域間を移動するように前記移動機構を制御する制御部と、
を含む眼科装置。
【請求項２】
前記移動機構は、前記瞳位置またはその近傍位置を中心に前記光学ユニットを旋回させる
ことを特徴とする請求項１に記載の眼科装置。
【請求項３】
前記制御部は、前記偏向パターンに基づき前記走査光学系を制御することにより前記光源からの光を２次元的に偏向させる
ことを特徴とする請求項１または請求項２に記載の眼科装置。
【請求項４】
前記制御部は、前記後眼部の矩形領域を走査するように前記光源からの光の照射位置を移動させる
ことを特徴とする請求項３に記載の眼科装置。
【請求項５】
前記制御部は、前記後眼部の所定領域をラスター走査するように前記光源からの光の照射位置を移動させる
ことを特徴とする請求項３に記載の眼科装置。
【請求項６】
前記制御部は、前記後眼部の所定領域をサークル走査するように前記光源からの光の照射位置を移動させる
ことを特徴とする請求項３に記載の眼科装置。
【請求項７】
前記制御部は、前記偏向パターンに基づき前記走査光学系を制御することにより前記光源からの光を１次元的に偏向させる
ことを特徴とする請求項１または請求項２に記載の眼科装置。
【請求項８】
前記後眼部からの戻り光に基づいて、前記後眼部における所定データの分布を形成するデータ分布形成部を含み、
前記制御部は、前記移動機構の制御と前記走査光学系の制御とを交互に実行し、
前記データ分布形成部は、前記後眼部の複数の位置からの戻り光に基づいて前記所定データの分布を形成する
ことを特徴とする請求項１〜請求項７のいずれか一項に記載の眼科装置。
【請求項９】
前記後眼部からの戻り光に基づいて、前記後眼部における所定データの分布を形成するデータ分布形成部を含み、
前記制御部は、前記移動機構の制御と前記走査光学系の制御とを並行して行い、
前記データ分布形成部は、前記後眼部の複数の位置からの戻り光に基づいて前記所定データの分布を形成する
ことを特徴とする請求項１〜請求項７のいずれか一項に記載の眼科装置。
【請求項１０】
前記光学ユニットは、前記光源からの光が前記被検眼を経由した戻り光を受光する受光系を含む
ことを特徴とする請求項１〜請求項９のいずれか一項に記載の眼科装置。
【請求項１１】
前記光学ユニットは、前記光源を含み、
前記光源は、可視光または赤外光を出力する
ことを特徴とする請求項１〜請求項１０のいずれか一項に記載の眼科装置。
【請求項１２】
前記被検眼の眼底に固視標を投影するための固視系を含む
ことを特徴とする請求項１〜請求項１１のいずれか一項に記載の眼科装置。
【請求項１３】
前記固視系は、前記光学ユニットに設けられている
ことを特徴とする請求項１２に記載の眼科装置。
【発明の詳細な説明】
【技術分野】
【０００１】
本発明は、眼科装置に関する。
【背景技術】
【０００２】
眼疾患のスクリーニングや治療などを行うための眼科装置には、簡便に広い視野で被検眼の眼底などの観察や撮影が可能なものが求められている。このような眼科装置として、走査型レーザー検眼鏡が知られている。走査型レーザー検眼鏡は、レーザー光で眼底をスキャンし、その戻り光を受光デバイスで検出することにより、眼底の正面画像を形成する装置である。
【０００３】
たとえば、特許文献１には、被検眼が配置される被検眼位置に向けて、スリット鏡と主鏡とにより見かけ上の点光源を伝達するように構成された走査型レーザー検眼鏡が開示されている。
【先行技術文献】
【特許文献】
【０００４】
【特許文献１】特許第５３３０２３６号
【発明の概要】
【発明が解決しようとする課題】
【０００５】
しかしながら、特許文献１に開示された手法では、反射光学系により広角の画像を形成するため、光学素子の配置の自由度が低く、より一層の画質の向上を図るために光学素子の配置を変更することが難しい。また、反射光学系の光学素子の収差特性により、簡便に高品質の画像を取得することは困難である。特に、収差特性の影響が大きくなると、被検眼の治療に適用することは不可能となる。
【０００６】
本発明は、上記の問題点を解決するためになされたものであり、広い視野で高精度な被検眼の後眼部の観察を簡便に行うための技術を提供することを目的とする。
【課題を解決するための手段】
【０００７】
実施形態に係る眼科装置は、光源からの光を所定の偏向角度範囲内で偏向する走査光学系を含み、走査光学系により偏向された光源からの光を被検眼の後眼部に照射可能に構成された光学ユニットと、被検眼の瞳位置またはその近傍位置を基準に光学ユニットを所定の移動角度範囲内で移動させる移動機構と、スキャン領域を分割することにより得られた複数のサブスキャン領域の各サブスキャン領域内で偏向パターンに基づいて光源からの光を偏向するように走査光学系を制御し、移動パターンに基づいてサブスキャン領域間を移動するように移動機構を制御する制御部と、を含む。
【発明の効果】
【０００８】
この発明によれば、広い視野で高精度な被検眼の後眼部の観察を簡便に行うことが可能となる。
【図面の簡単な説明】
【０００９】
【図１】実施形態に係る眼科装置の構成の一例を表す概略図である。
【図２】実施形態に係る眼科装置の動作説明図である。
【図３】実施形態に係る眼科装置の動作説明図である。
【図４】実施形態に係る眼科装置の動作例を表すフロー図である。
【図５】実施形態に係る眼科装置の動作説明図である。
【図６】実施形態に係る眼科装置の動作説明図である。
【図７】実施形態に係る眼科装置の動作説明図である。
【図８】実施形態に係る眼科装置の動作説明図である。
【発明を実施するための形態】
【００１０】
実施形態に係る眼科装置について、図面を参照しながら詳細に説明する。実施形態に係る眼科装置は、光源からの光を偏向する走査光学系を含む光学ユニットを被検眼の瞳孔を基準に移動させることにより、瞳孔を通して光を被検眼の後眼部（眼底、硝子体等）の広い範囲に照射することが可能な装置である。このような構成は、後眼部に光を照射することが可能な任意の眼科装置、たとえば、レーザー光を眼底における治療部位に照射するためのレーザー治療装置や、被検眼に固視させた状態で視標を移動させながら被検者の応答に基づき視野を測定するための視野計などに適用することができる。
【００１１】
また、実施形態に係る眼科装置は、さらに、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科装置、たとえば、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて眼底の断層像を得る光干渉断層計や、共焦点光学系を用いたレーザー走査により眼底の正面画像を得る走査型レーザー検眼鏡（Ｓｃａｎｎｉｎｇ  Ｌａｓｅｒ  Ｏｐｈｔｈａｌｍｏｓｃｏｐｅ：ＳＬＯ）や、光干渉断層計の機能と走査型レーザー検眼鏡の機能とを組み合わせた複合機などに適用することができる。以下、実施形態に係る眼科装置が、走査型レーザー検眼鏡の機能を有する場合について説明する。
【００１２】
〔第１実施形態〕
［構成］
図１に、この実施形態に係る眼科装置の概略構成の機能ブロック図を示す。
【００１３】
眼科装置１は、被検眼Ｅの後眼部をレーザー光でスキャンしてデータを取得し、この取得されたデータに基づいて眼底Ｅｆの正面画像を形成する装置である。眼科装置１は、測定ユニット１００と、処理ユニット２００とを有する。測定ユニット１００は、眼底Ｅｆの光学的な観察や眼底Ｅｆの光学的な計測を行うために用いられる。処理ユニット２００は、測定ユニット１００により取得されたデータの処理や、装置各部の制御などを行う。
【００１４】
（測定ユニット）
測定ユニット１００は、光学ユニット１１０と、移動機構１２０と、駆動部１３０と、光源１４０と、固視系１５０と、固視標制御部１６０と、アライメント系１７０とを有する。測定ユニット１００は、被検眼Ｅの瞳位置Ｐ（または、後述の瞳位置Ｐの近傍位置）を基準に移動可能に構成された光学ユニット１１０により被検眼Ｅの瞳孔を通して光源１４０からの光を被検眼Ｅの後眼部に照射する。測定ユニット１００は、被検眼Ｅの後眼部に照射された光の戻り光を受光することにより取得されたデータを処理ユニット２００に送る。
【００１５】
光学ユニット１１０は、走査光学系１１１と、投影系１１２と、受光系１１３とを有する。
【００１６】
走査光学系１１１は、光源１４０からの光を所定の偏向角度範囲内で偏向する。この実施形態では、走査光学系１１１は、光源１４０からの光を所定の偏向角度範囲内で２次元的に偏向するが、光源１４０からの光を所定の偏向角度範囲内で１次元的に偏向するよう構成されてもよい。このような走査光学系１１１は、光スキャナーを含んでもよい。光スキャナーには、１軸または互いに直交する２軸の偏向部材が用いられる。偏向部材の例として、ガルバノミラー、ポリゴンミラー、回転ミラー、ダボプリズム（Ｄｏｖｅ  Ｐｒｉｓｍ）、ダブルダボプリズム（Ｄｏｕｂｌｅ  Ｄｏｖｅ  Ｐｒｉｓｍ）、ローテーションプリズム（Ｒｏｔａｔｉｏｎ  Ｐｒｉｓｍ）、ＭＥＭＳミラースキャナーなどがある。
【００１７】
投影系１１２は、走査光学系１１１により偏向された光源１４０からの光を被検眼Ｅの後眼部（たとえば、眼底Ｅｆ）に照射するための光学素子により構成された光学系である。投影系１１２には、たとえば、被検眼Ｅ側から順に、対物レンズ、ビームエキスパンダー、走査光学系１１１、ビームスプリッター、開口絞り、およびコリメートレンズが設けられている。
【００１８】
受光系１１３は、投影系１１２により照射された光に対する被検眼Ｅの後眼部からの戻り光を受光するための光学素子により構成された光学系である。受光系１１３には、たとえば、被検眼Ｅ側から順に、対物レンズ、ビームエキスパンダー、走査光学系１１１、ビームスプリッター、集光レンズ、共焦点ピンホール、および受光素子が設けられている。受光素子には、光源１４０から出力される光に応じて、可視領域や赤外領域に感度を有するものが用いられる。
【００１９】
なお、光学ユニット１１０は、さらに、光源１４０および固視系１５０のうち少なくとも１つを含んで構成されていてもよい。また、投影系１１２および受光系１１３のうち少なくとも１つは、光学ユニット１１０の外部に設けられていてもよい。
【００２０】
移動機構１２０は、被検眼Ｅの瞳位置Ｐを基準に光学ユニット１１０を所定の移動角度範囲内で移動させる。ここで、光学ユニット１１０の光軸が被検眼Ｅの正面側から瞳位置Ｐを通る場合に、当該光軸に直交する平面をｘｙ平面（ｘ方向は水平方向、ｙ方向は垂直方向）とし、当該光軸に平行な眼底方向をｚ方向とすると、瞳位置Ｐには、瞳に実際に相当する位置だけでなく、後眼部の走査を妨げない範囲において瞳位置Ｐからｘ，ｙおよび／またはｚ方向に変位した位置（近傍位置）も含まれる。以下、この明細書において、特に「近傍位置」を明示したときを除いて単純に「瞳位置」と表記した場合は、瞳位置またはその近傍位置を意味するものとする。
【００２１】
この実施形態では、移動機構１２０は、被検眼Ｅの瞳位置Ｐを中心に光学ユニット１１０を所定の移動角度範囲内で３次元的に旋回させる。このような移動機構１２０は、たとえば、光学ユニット１１０を保持する１以上の保持部材と、上記の移動角度範囲の任意の位置に移動可能に設けられた１以上のガイドアームとを含んで構成される。ガイドアームは、スライド可能な状態で保持部材を保持する。
【００２２】
なお、移動機構１２０は、被検眼Ｅの瞳位置Ｐを通る光学ユニット１１０の光軸に直交する平面内で２次元的に移動させるようにしてもよい。
【００２３】
駆動部１３０は、後述の処理ユニット２００の制御部２１０からの制御を受け、移動機構１２０を駆動する。駆動部１３０は、移動機構１２０を移動させるための駆動力を発生させるアクチュエータを含む。後述の制御部２１０からの制御信号を受けたアクチュエータは、この制御信号に応じた駆動力を発生させる。この駆動力は、図示しない駆動力伝達機構を介して移動機構１２０に伝達され、制御信号により指示された位置に配置されるように移動機構１２０を移動させる。これにより、光学ユニット１１０を所望の位置に移動させることが可能となる。
【００２４】
光源１４０は、被検眼Ｅの後眼部に照射するためのレーザー光を出力する。光源１４０としては、空間的コヒーレンシの高いレーザー光を出力する光源が用いられる。このような光源１４０には、半導体レーザー光源（波長掃引レーザー、スーパルミネッセントダイオードなど）、固体レーザー、ガスレーザー、ファイバレーザーなどがある。なお、光源１４０として、複数の光源を光ファイバ合波器やダイクロイックミラーなどの合波器により合成して用いるものを適用することも可能である。この実施形態では、光ファイバによりレーザー光を光学ユニット１１０に導く。たとえば、光ファイバのジョイント部には、光学ユニット１１０の移動に起因した捻れや引っ張りなどのストレスを低減する手段が設けられている。
【００２５】
固視系１５０は、内部固視および外部固視の少なくとも一方を実現するための構成を有する。内部固視を実現する場合、固視系１５０は、被検眼Ｅの眼底Ｅｆに固視標を投影するための光学系を含んで構成される。固視標は、被検眼Ｅを固視させるための視標である。固視系１５０は、少なくとも可視光を出力する固視光源を含む。固視系１５０により形成された光路は、たとえば、瞳位置Ｐと光学ユニット１１０（対物レンズ）との間に設けられたダイクロイックミラーにより、光学ユニット１１０により形成された光路に合成される。内部固視を実現する場合、固視系１５０は、光学ユニット１１０内に設けられてもよい。
【００２６】
外部固視を実現する場合、固視系１５０は、たとえば、光学ユニット１１０の筐体に設けられる。固視系１５０は、たとえば、一端が光学ユニット１１０に固定され関節部を介して互いに接続された２以上のアームの他端にＬＥＤ等の発光部が設けられた構成を有する。外部固視を実現する場合、固視系１５０は、測定ユニット１００の筐体に設けられ、光学ユニット１１０とともに移動しないように構成されていてもよい。
【００２７】
固視系１５０が内部固視を実現する場合、固視標制御部１６０により、光学ユニット１１０の移動に伴い固視標の投影位置を移動させることが可能である。固視系１５０が内部固視および外部固視の双方を実現する場合、固視標制御部１６０により、上記の構成を用いて内部固視と外部固視とを連係させることが可能である。内部固視と外部固視とを連係させる例として、レーザー光のスキャン領域内に黄斑部が含まれているときには内部固視により被検眼に固視させ、当該スキャン領域内に黄斑部が含まれないときには外部固視により被検眼に固視させる。
【００２８】
また、固視系１５０が、たとえば２つ（以上）の内部固視を実現するための構成（光学系）を有していてよい。この場合、固視系１５０は、光学ユニット１１０の内部に設けられ第１内部固視を実現するための構成と、光学ユニット１１０の外部に設けられた第２内部固視を実現するための構成とを有することが可能である。２つの内部固視を連係させる例として、レーザー光のスキャン領域内に黄斑部が含まれているときには第１内部固視（光学ユニット１１０の内部）により被検眼に固視させ、当該スキャン領域内に黄斑部が含まれないときには第２内部固視（光学ユニット１１０の外部）により被検眼に固視させる。
【００２９】
固視標制御部１６０は、後述の処理ユニット２００の制御部２１０からの制御を受け、固視系１５０を制御する。固視標制御部１６０は、たとえば、制御部２１０からの制御を受け、固視光源（内部固視用や外部固視用）の点灯および消灯を制御したり、眼底Ｅｆにおける固視標の投影位置（固視位置）を移動させたりすることが可能である。
【００３０】
アライメント系１７０は、たとえば、ＸＹアライメント検出用光源と、ＸＹアライメントセンサーと、Ｚアライメント検出用光源と、Ｚアライメントセンサーとを含んで構成される。ＸＹアライメント光源からのＸＹアライメント検出用光は、被検眼Ｅの角膜に平行光束として導かれる。その角膜には、ＸＹアライメント検出用光の角膜反射による輝点像（虚像）が形成される。角膜で反射されたＸＹアライメント検出用光は、ＸＹアライメントセンサーにより検出される。ＸＹアライメントセンサーにより得られた検出信号は、後述の制御部２１０に送られる。制御部２１０は、この検出信号から被検眼Ｅの角膜に形成された輝点像の位置を特定し、ｘ方向およびｙ方向の光学ユニット１１０に対する位置ずれを検出する。
【００３１】
Ｚアライメント検出用光源からのＺアライメント検出用光は、被検眼Ｅの角膜に投影される。その角膜にはＺアライメント検出用光の角膜反射による輝点像（虚像）が形成される。角膜で反射されたＺアライメント検出用光は、Ｚアライメントセンサーにより検出される。Ｚアライメントセンサーにより得られた検出信号は、後述の制御部２１０に送られる。制御部２１０は、この検出信号から被検眼Ｅの角膜に形成された輝点像の位置を特定し、ｚ方向の光学ユニット１１０に対する位置ずれを検出する。
【００３２】
また、上記のＸＹアライメントおよびＺアライメントの少なくとも一方は、測定ユニット１００に設けられた１以上のカメラを用いて行われてもよい。この場合、１以上のカメラにより撮影された画像に基づいて被検眼Ｅの位置を求めることで、ｘ方向、ｙ方向、およびｚ方向の少なくとも１つの位置ずれが検出される。なお、２以上のカメラが設けられている場合には、異なる方向から実質的に同時に撮影された画像に基づいて被検眼Ｅの３次元位置を求めることで、ｘ方向、ｙ方向、およびｚ方向の少なくとも１つの位置ずれが検出される。
【００３３】
制御部２１０は、検出されたｘ方向、ｙ方向、およびｚ方向の位置ずれをキャンセルするように光学ユニット１１０を移動させることによりアライメントを行う。
【００３４】
なお、測定ユニット１００は、フォーカス光学系を含み、眼底Ｅｆに対してフォーカス（ピント）を合わせるための指標（スプリット指標）を生成することが可能である。この場合、フォーカス光学系から出力された光（フォーカス光）は、眼底Ｅｆに投影され、その眼底反射光が、図示しないセンサーにより検出される。制御部２１０は、このセンサーにより得られた検出信号からスプリット指標の位置を解析して、たとえば、光学ユニット１１０に含まれる合焦レンズおよびフォーカス光学系を移動させてピント合わせを行うことが可能である（オートフォーカス機能）。
【００３５】
上記の構成においては、光源１４０により出力されるレーザー光の波長は任意である。たとえば、光源１４０により出力されるレーザー光として、赤外レーザー光や可視レーザー光を用いることができる。また、波長帯が異なるレーザー光を選択的に出力可能に構成することも可能である。たとえば、赤外レーザー光と可視レーザー光とを選択的に出力可能な構成を適用できる。
【００３６】
以上のような構成を有する測定ユニット１００において、光源１４０から出力されたレーザー光は、移動機構１２０により移動された光学ユニット１１０により２次元的に偏向され、光学ユニット１１０の光軸方向から被検眼Ｅの瞳孔を通過して眼底Ｅｆに照射される。具体的には、被検眼Ｅに入射したレーザー光は、被検眼Ｅの前眼部にて散乱される。また、被検眼Ｅに入射したレーザー光の一部は、瞳孔を通過し、眼底Ｅｆにスポット光として結像される。
【００３７】
眼底Ｅｆに照射されたレーザー光の戻り光は、スポット光の形成位置（およびその近傍位置）から光学ユニット１１０に戻ってくる光である。戻り光には、眼底Ｅｆによるレーザー光の散乱光（反射光や後方散乱光）、並びに、レーザー光を励起光とする蛍光およびその散乱光などが含まれる。戻り光は、瞳孔を通過し、被検眼Ｅから出射する。
【００３８】
光学ユニット１１０において、被検眼Ｅからの戻り光は、受光系１１３に導かれる。受光系１１３に導かれた戻り光は、受光素子により検出される。受光素子は、検出された戻り光を光電変換し、電気信号（受光信号）を出力する。
【００３９】
以上のプロセスは、眼底Ｅｆの一点の計測に相当し、眼底Ｅｆに対する単一のスポット光の照射領域における計測に相当する。この実施形態では、移動機構１２０により光学ユニット１１０を瞳位置Ｐを中心に（１次元的、２次元的または３次元的に）旋回しつつ、この光学ユニット１１０内の走査光学系１１１による（１次元的または２次元的な）偏向を行うことによって、眼底Ｅｆにおけるスポット光の照射領域が移動される。つまり、この実施形態では、移動機構１２０による光学ユニット１１０の旋回と、走査光学系１１１による偏向とを組み合わせることにより、眼底Ｅｆのスキャンが実行される。
【００４０】
図２に、この実施形態に係るスポット光の照射領域の説明図を示す。図２は、移動機構１２０により旋回された光学ユニット１１０の各位置における走査光学系１１１によるスポット光の照射領域の説明図を模式的に表したものである。
【００４１】
この実施形態では、図２に示す全スキャン領域を複数のサブスキャン領域に分割し、各サブスキャン領域内で走査光学系１１１によりスポット光の照射位置を移動させることにより、広範囲にわたる全スキャン領域に対してスキャンを行う。換言すると、この実施形態では、複数のサブスキャン領域をそれぞれスキャンすることにより広範囲にわたるスキャンが実現される。各サブスキャン領域は、後述の偏向パターンに従ってスキャンされる。サブスキャン領域間の移動は、光学ユニット１１０の移動により行われる。サブスキャン領域間の移動は、後述の移動パターンに従って行われる。
【００４２】
走査光学系１１１は、上記のように所定の偏向角度範囲内で光源１４０からの光を偏向する。この偏向角度範囲が、走査光学系１１１の偏向中心を基準に、水平方向（たとえば、ｘ方向）に偏向角度範囲θＨ１とし、垂直方向（たとえば、ｙ方向）に偏向角度範囲θＶ１とすると、光学ユニット１１０の各位置における走査光学系１１１によるスポット光の照射領域は、図２に示すように、水平方向の偏向角度範囲が±θＨ１であり、垂直方向の偏向角度範囲が±θＶ１となる。
【００４３】
また、光学ユニット１１０は、上記のように、被検眼Ｅの瞳位置Ｐを中心に所定の移動角度範囲内で旋回される。この移動角度範囲が、水平方向（たとえば、ｘ方向）に移動角度範囲θＨ２とし、垂直方向（たとえば、ｙ方向）に移動角度範囲θＶ２とすると、スポット光の照射領域は、図２に示すように、水平方向の角度範囲がθＨ＝θＨ２＋２・θＨ１となり、垂直方向の角度範囲がθＶ＝θＶ２＋２・θＶ１となる。
【００４４】
従って、眼科装置１によれば、水平方向の角度範囲がθＨであり、垂直方向の角度範囲がθＶである範囲内でスキャンが可能となり、当該範囲内のデータの取得が可能となる。たとえば、θＨ１として２０度〜８０度が可能であるためθＨ１を６０度とし、θＨ２が４０度とすると、水平方向に１６０度の範囲でデータの取得（画像の取得）が可能である。同様に、θＶ１として２０度〜８０度が可能であるためθＶ１を４０度とし、θＶ２が４０度とすると、垂直方向に１２０度の範囲でデータの取得（画像の取得）が可能である。コストやワーキングディスタンスを勘案して、θＨ１、θＨ２、θＶ１、θＶ２を決定することが望ましい。
【００４５】
（処理ユニット）
処理ユニット２００は、演算装置、制御装置、記憶装置（ＲＡＭ、ＲＯＭ、ハードディスクドライブなど）、ユーザインターフェイス、通信インターフェイスなどを有する。この実施形態では、図１に示すように、処理ユニット２００は、制御部２１０と、データ処理部２２０と、ユーザインターフェイス２３０とを含む。
【００４６】
制御部２１０は、装置各部の制御を行う。制御部２１０は、マイクロプロセッサおよび記憶装置を含んで構成される。記憶装置には、眼科装置１を制御するためのコンピュータプログラムがあらかじめ格納される。このコンピュータプログラムには、光源制御用プログラム、光学ユニット制御用プログラム（走査光学系制御用プログラムを含む）、移動機構制御用プログラム、アライメント制御用プログラム、統括制御用プログラムなどが含まれる。このようなコンピュータプログラムに従ってマイクロプロセッサが動作することにより、制御部２１０は制御処理を実行する。
【００４７】
測定ユニット１００に対する制御として、光源１４０の制御、光学ユニット１１０の受光系１１３（受光素子）の制御、走査光学系１１１の偏向制御、駆動部１３０を介した移動機構１２０の制御、固視標制御部１６０の制御、アライメント系１７０の制御などがある。特に、制御部２１０は、走査光学系１１１と移動機構１２０とを連係して制御する。処理ユニット２００に対する制御として、各部の動作制御がある。
【００４８】
（連係制御）
走査光学系１１１と移動機構１２０とを連係して制御する例として、制御部２１０は、次のような制御を行うことが可能である。制御部２１０の記憶装置には、光源１４０からの光を偏向するための既定の偏向パターンと、光学ユニット１１０を移動させるための既定の移動パターンとがあらかじめ記憶されている。偏向パターンや移動パターンは、デフォルト設定されてもよいし、ユーザにより設定されてもよい。また、複数の偏向パターンや複数の移動パターンを選択的に適用することが可能である。制御部２１０は、記憶装置に記憶された既定の偏向パターンに基づいて走査光学系１１１の制御を行い、記憶装置に記憶された既定の移動パターンに基づいて移動機構１２０の制御を行う。たとえば、制御部２１０は、移動パターンに基づく移動機構１２０の制御と偏向パターンに基づく走査光学系１１１の制御とを交互に実行することが可能である。また、たとえば、制御部２１０は、移動パターンに基づく移動機構１２０の制御と偏向パターンに基づく走査光学系１１１の制御とを並行して行うことが可能である。
【００４９】
また、制御部２１０は、偏向パターンに基づいて走査光学系１１１を制御することにより、被検眼Ｅの後眼部の所定領域の走査態様を変更することが可能である。たとえば、制御部２１０は、偏向パターンに基づき走査光学系１１１を制御することにより、被検眼Ｅの後眼部の矩形領域を走査するように光源１４０からの光の照射位置を移動させることが可能である（短冊状走査など）。
【００５０】
図３に、この実施形態に係る走査態様の一例を示す。図３は、視神経乳頭Ｎと黄斑部Ｈとを含む被検眼Ｅの眼底Ｅｆの所定領域ＡＲ内を複数のサブスキャン領域に分けて走査する様子を模式的に表したものである。
【００５１】
制御部２１０は、既定の移動パターンに従って移動機構１２０を制御することにより、サブスキャン領域ＳＲ１、ＳＲ２、ＳＲ３、・・・を順次に移動させる。このとき、移動パターンにより、移動前のサブスキャン領域の一部に重複するように次のサブスキャン領域に移動させる（重複エリアＣＲ１、ＣＲ２、・・・）。サブスキャン領域毎に得られた画像から全スキャン領域の画像を形成する場合に、重複エリアは、画像同士の位置合わせに用いられる。制御部２１０は、偏向パターンに基づいて、各サブスキャン領域（被検眼Ｅの後眼部の所定領域）をラスター走査するように光源１４０からの光の照射位置を移動させる。
【００５２】
また、制御部２１０は、偏向パターンに基づいて、被検眼Ｅの後眼部の所定領域をサークル走査するように光源１４０からの光の照射位置を移動させることが可能である。また、制御部２１０は、偏向パターンに基づき走査光学系１１１を制御することにより光源１４０からの光を１次元的に偏向させることが可能である（スリット状走査）。
【００５３】
（その他の制御）
固視標制御部１６０の制御の例として、制御部２１０は、所定位置を固視するように固視標を投影させる。また、固視系１５０が光学ユニット１１０内に設けられた場合、制御部２１０は、移動機構１２０の移動による光学ユニット１１０の光軸の移動（眼底Ｅｆにおけるスポット光の照射位置の変位）をキャンセルするように固視位置を移動させることが可能である。また、制御部２１０は、走査光学系１１１によるスキャン領域が黄斑部を含むときには内部固視標により被検眼Ｅを所定方向に固視させ、走査光学系１１１によるスキャン領域が黄斑部を含まないときには内部固視標を消灯させることが可能である。また、内部固視標と外部固視標（外部固視灯）の双方が設けられている場合において、走査光学系１１１によるスキャン領域が黄斑部を含まないときには外部固視標により被検眼Ｅを所定方向に固視させるようにしてもよい。
【００５４】
また、制御部２１０は、被検眼Ｅの眼底Ｅｆの動きを監視しつつ眼底Ｅｆの所定部位が画像（フレーム）中の一定の位置に描出されるように眼球運動を補償するトラッキング制御を行うようにしてもよい。また、制御部２１０は、取得されたデータを解析して画像間（フレーム間）における描出位置のずれを補正することにより事後的にトラッキングを行うようにしてもよい。また、制御部２１０は、被検眼Ｅの視線方向の検知を行い、視線の動きによる位置ずれをキャンセルするようにトラッキング制御を実行してもよい。
【００５５】
眼底Ｅｆの光学的計測が行われているときに、または光学的計測が終了した後に、制御部２１０は、画素位置信号を生成し、データ処理部２２０に送る。画素位置信号は、光学ユニット制御用プログラムに基づく複数のスポット光の照射領域の配置（つまり、走査光学系１１１による光の偏向パターン）に対応する複数の画素の配置を示す。
【００５６】
（データ処理部）
データ処理部２２０は、受光系１１３の受光素子から入力される受光信号と、制御部２１０から入力される画素位置信号とに基づいて、被検眼Ｅの後眼部における所定データの分布を形成することが可能である。所定データの例として、受光信号（レーザー光の戻り光）、受光信号から取得される画像の画素値や輝度値などがある。分布の例として、強度分布や頻度分布や画像やこれらを解析して得られる病変分布などがある。この実施形態では、データ処理部２２０は、被検眼Ｅの後眼部における所定データの分布として、受光信号のプロファイルに基づく画像（眼底Ｅｆの正面画像）を形成する。受光系１１３が干渉光学系を含む場合、所定データの例として、受光信号のプロファイル（レーザー光の戻り光の強度プロファイル）などがある。分布の例として、ＯＣＴを用いて取得されたスペクトル強度分布、受光信号のプロファイルに対してＦＦＴを施すことにより得られる断層像、この断層像を解析して得られる層厚分布や病変分布などがある。
【００５７】
この実施形態では、制御部２１０は、移動機構１２０の制御と走査光学系１１１の制御とを所定回数だけ交互に実行する。データ処理部２２０は、移動されている光学ユニット１１０によりレーザー光が照射された被検眼Ｅの後眼部の複数の位置からの戻り光に基づいて所定データの分布を形成する。
【００５８】
また、制御部２１０は、移動機構１２０の制御と走査光学系１１１の制御とを並行して行うようにしてもよい。この場合、データ処理部２２０は、走査光学系１１１の制御と並行して移動されている光学ユニット１１０によりレーザー光が照射された被検眼Ｅの後眼部の複数の位置からの戻り光に基づいて所定データの分布を形成することが可能である。
【００５９】
また、データ処理部２２０は、各サブスキャン領域のデータ取得タイミングの違いを考慮して動画像を生成することが可能である。たとえば、データ処理部２２０は、所定の時間だけサブスキャン領域毎に取得された画像（データ）を基準となるデータ取得タイミングとのタイミング差に関連付けて記憶する。基準となるデータ取得タイミングの例として、動画像の先頭フレームの画像を構成する複数のサブスキャン領域のうち最初に取得されたサブスキャン領域のデータ取得タイミングなどがある。データ処理部２２０は、動画像の生成対象のサブスキャン領域のデータ取得タイミングのタイミング差がキャンセルされるように各サブスキャン領域において取得された画像を読み出し、読み出された画像位置合わせを行うことにより、動画像を構成する各フレームの画像を生成する。
【００６０】
データ処理部２２０は、たとえばマイクロプロセッサおよび記憶装置を含んで構成される。記憶装置には、データ処理プログラムがあらかじめ格納される。マイクロプロセッサがデータ処理用プログラムに従って動作することによってデータ処理の少なくとも一部が実行される。また、データ処理部２２０は、専用のハードウェアを含んで構成されてもよい。
【００６１】
また、データ処理部２２０は、各種のデータ処理を実行することが可能である。このようなデータ処理の例として、データ処理部２２０または他の装置により形成された画像データに対する処理がある。この処理の例として、各種の画像処理や、画像データに基づく画像評価などの診断支援処理がある。データ処理部２２０は、眼科装置１の一部であってもよいし、外部装置であってもよい。
【００６２】
（ユーザインターフェイス）
ユーザインターフェイス２３０は、表示機能と、操作・入力機能とを有する。表示機能は、液晶ディスプレイ（Ｌｉｑｕｉｄ  Ｃｒｙｓｔａｌ  Ｄｉｓｐｌａｙ：以下、ＬＣＤ）などの表示デバイスにより実現される。表示デバイスは、制御部２１０による制御の下に情報を表示する。
【００６３】
操作・入力機能は、操作デバイスや入力デバイスにより実現される。これらの例として、ボタン、レバー、ノブ、マウス、キーボード、トラックボールなどがある。また、制御部２１０が表示デバイスにグラフィカルユーザーインターフェース（ＧＵＩ）を表示させる構成としてもよい。この表示デバイスは、タッチスクリーンであってよい。
【００６４】
データ処理部２２０は、この実施形態に係る「データ分布形成部」の一例である。
【００６５】
<動作例>
眼科装置１の動作例について説明する。
【００６６】
図４に、眼科装置１の動作例のフロー図を示す。
【００６７】
（Ｓ１）
まず、ユーザインターフェイス２３０を用いてユーザにより撮影モードが指定されると、制御部２１０は、眼科装置１の撮影モードをユーザにより指定された撮影モードに設定する。この撮影モードの設定には、ユーザにより指定された撮影モードにあらかじめ関連付けられた偏向パターンおよび移動パターンの設定が含まれる。
【００６８】
（Ｓ２）
次に、制御部２１０は、固視標制御部１６０を制御することにより、固視系１５０により固視標を提示させる。
【００６９】
（Ｓ３）
次に、制御部２１０は、Ｓ１において設定された撮影モードに対応した移動パターンに従って駆動部１３０を制御することにより、移動機構１２０により光学ユニット１１０のスキャン中心位置を所定のチルト中心位置に移動させる。チルト中心位置は、移動パターンに従って移動される光学ユニット１１０の初期位置である。
【００７０】
（Ｓ４）
次に、制御部２１０は、アライメント系１７０に含まれるＸＹアライメントセンサーおよびＺアライメントセンサーにより得られた検出信号に基づいて、当該チルト位置（移動機構１２０により移動された光学ユニット１１０の位置）が適正か否かを判定する。当該チルト位置が適正ではないと判定されたとき（Ｓ４：Ｎ）、制御部２１０による制御は、Ｓ５に移行する。当該チルト位置が適正であると判定されたとき（Ｓ４：Ｙ）、制御部２１０による制御は、Ｓ６に移行する。
【００７１】
（Ｓ５）
Ｓ４において当該チルト位置が適正ではないと判定されたとき（Ｓ４：Ｎ）、制御部２１０は、チルト位置を修正する。たとえば、制御部２１０は、アライメント系１７０に含まれるＸＹアライメントセンサーおよびＺアライメントセンサーにより得られた検出信号に基づいて、位置ずれをキャンセルするようにチルト位置を修正することが可能である。また、制御部２１０は、当該チルト位置に配置された光学ユニット１１０により取得されたデータまたは画像（観察像）からチルト位置を修正してもよい。その後、制御部２１０による制御は、Ｓ３に移行する。
【００７２】
（Ｓ６）
Ｓ４において当該チルト位置が適正であると判定されたとき（Ｓ４：Ｙ）、制御部２１０は、移動パターンに従って駆動部１３０を制御することにより移動機構１２０により光学ユニット１１０を移動させ、光学ユニット１１０により当該サブスキャン領域について得られたデータを部分エリアデータとして取得する。
【００７３】
（Ｓ７）
全スキャン領域のデータが取得されていないとき（Ｓ７：Ｎ）、制御部２１０による制御は、Ｓ４に移行する。全スキャン領域のデータが取得されたとき（Ｓ７：Ｙ）、制御部２１０による制御は、Ｓ８に移行する。
【００７４】
（Ｓ８）
全スキャン領域のデータが取得されたとき（Ｓ７：Ｙ）、制御部２１０は、データ処理部２２０により複数のサブスキャン領域の複数の部分エリアデータの位置合わせを行う。たとえば、上記のように部分エリアデータに重複エリアが含まれている場合、データ処理部２２０は、対応する部分エリアデータの重複エリアの画像をマッチングさせることにより部分エリアデータの位置合わせを行うことが可能である。また、データ処理部２２０は、各サブスキャン領域のスキャン時の光学ユニット１１０の位置と事前に設定された走査光学系１１１の偏向角度範囲とから、部分エリアデータの領域の位置（部分エリアデータの基準位置）を特定し、特定された部分エリアデータの領域の位置を用いて部分エリアデータの位置合わせを行ってもよい。
【００７５】
（Ｓ９）
制御部２１０は、ユーザインターフェイス２３０を用いてユーザにより指定された表示形態で、Ｓ８において位置合わせされた部分エリアデータに基づいて所望の画像をユーザインターフェイス２３０に含まれる表示デバイスに表示させる。以上で、制御部２１０による制御は、終了する（エンド）。
【００７６】
［作用・効果］
眼科装置１の作用および効果について説明する。
【００７７】
眼科装置１は、光学ユニット（たとえば、光学ユニット１１０）と、移動機構（たとえば、移動機構１２０）と、制御部（たとえば、制御部２１０）とを含む。光学ユニットは、光源（たとえば、光源１４０）からの光を所定の偏向角度範囲内で偏向する走査光学系（たとえば、走査光学系１１１）を含み、走査光学系により偏向された光源からの光を被検眼の後眼部に照射可能に構成される。移動機構は、被検眼の瞳位置（たとえば、瞳位置Ｐ）またはその近傍位置を基準に光学ユニットを所定の移動角度範囲内で移動させる。制御部は、走査光学系と移動機構とを連係して制御する。
【００７８】
このような構成によれば、走査光学系の偏向制御と移動機構の移動制御とを連係して制御することにより、広い視野で被検眼の後眼部の観察を簡便に行うことが可能となる。また、反射光学系の光学素子が有するような収差特性の影響を受けることなく、高精度に被検眼の後眼部の観察を行うことができる。
【００７９】
また、移動機構は、瞳位置またはその近傍位置を中心に光学ユニットを旋回させてもよい。
【００８０】
このような構成によれば、被検眼の瞳孔を通して後眼部の広い範囲を照射することができるようになる。
【００８１】
また、制御部は、光源からの光を偏向するための既定の偏向パターンに基づいて走査光学系の制御を行い、光学ユニットを移動させるための既定の移動パターンに基づいて移動機構の制御を行ってもよい。
【００８２】
このような構成によれば、走査光学系と移動機構とに対して自動制御が可能となるので、広い視野で高精度な被検眼の後眼部の観察を簡便に行うことができる。
【００８３】
また、制御部は、偏向パターンに基づき走査光学系を制御することにより光源からの光を２次元的に偏向させてもよい。また、制御部は、後眼部の矩形領域を走査するように光源からの光の照射位置を移動させてもよい。また、制御部は、後眼部の所定領域をラスター走査するように光源からの光の照射位置を移動させてもよい。また、制御部は、後眼部の所定領域をサークル走査するように光源からの光の照射位置を移動させてもよい。また、制御部は、偏向パターンに基づき走査光学系を制御することにより光源からの光を１次元的に偏向させてもよい。
【００８４】
このような構成によれば、所望の走査態様により広い視野で高精度に被検眼の後眼部についてデータを取得することが可能となる。
【００８５】
また、後眼部からの戻り光に基づいて、後眼部における所定データの分布を形成するデータ分布形成部（たとえば、データ処理部２２０）を含み、制御部は、移動機構の制御と走査光学系の制御とを交互に実行し、データ分布形成部は、後眼部の複数の位置からの戻り光に基づいて所定データの分布を形成してもよい。
【００８６】
このような構成によれば、移動機構により光学ユニットが移動された位置において走査光学系による走査により取得されたデータの分布を形成することが可能となり、被検眼の後眼部について広い視野で高精度なデータ分布を簡便に取得することができる。
【００８７】
また、後眼部からの戻り光に基づいて、後眼部における所定データの分布を形成するデータ分布形成部（たとえば、データ処理部２２０）を含み、制御部は、移動機構による光学ユニットの移動制御と走査光学系による光源からの光の偏向制御とを並行して行い、データ分布形成部は、後眼部の複数の位置からの戻り光に基づいて所定データの分布を形成してもよい。
【００８８】
このような構成によれば、移動機構による光学ユニットの移動と走査光学系による偏向とを並行して行いながら取得されたデータの分布を形成することが可能となり、被検眼の後眼部について広い視野で高精度なデータ分布を簡便に取得することができる。
【００８９】
また、光学ユニットは、光源からの光が被検眼を経由した戻り光を受光する受光系（たとえば、受光系１１３）を含んでもよい。また、光学ユニットは、光源を含み、光源は、可視光または赤外光を出力してもよい。また、被検眼の眼底に固視標を投影するための固視系（たとえば、固視系１５０）を含んでもよい。また、固視系は、光学ユニットに設けられていてもよい。
【００９０】
このような構成によれば、受光系や光源や固視系を含んで構成された光学ユニットを用いて、広い視野で被検眼の後眼部の観察を簡便に行うことが可能となる。
【００９１】
〔第２実施形態〕
第１実施形態では、測定ユニット１００が、１つの光学ユニット１１０を移動させる場合について説明したが、実施形態に係る眼科装置の構成は、これに限定されるものではなく、測定ユニット１００は、複数の光学ユニットを有していてもよい。
【００９２】
たとえば、測定ユニット１００は、２以上の光学ユニット１１０を含むことが可能である。２以上の光学ユニット１１０は、たとえば、移動機構１２０により互いに干渉しないように被検眼Ｅの瞳位置Ｐを基準に所定の移動角度範囲内で移動可能に構成される。２以上の光学ユニット１１０のうち少なくとも１つの移動角度範囲は他の光学ユニット１１０の移動角度範囲と異なってもよい。制御部２１０は、２以上の光学ユニット１１０のうち少なくとも１つにおける走査光学系１１１と移動機構１２０とを連係して制御する。これにより、２以上の光学ユニット１１０の旋回と、走査光学系１１１による偏向とを組み合わせることにより、眼底Ｅｆにおける広範囲のスキャンが可能となる。
【００９３】
また、２以上の光学ユニット１１０のうちその一部である複数の光学ユニットが、移動機構１２０により連係して移動可能に構成されてもよい。この場合、２以上の光学ユニット１１０の一部である複数の光学ユニットが、移動機構１２０により一体的に移動可能に構成されたり、互いに独立して移動可能に構成されてもよい。これらの場合でも、制御部２１０は、２以上の光学ユニット１１０のうち少なくとも１つにおける走査光学系１１１と移動機構１２０とを連係して制御する。これにより、２以上の光学ユニット１１０の旋回と、走査光学系１１１による偏向とを組み合わせることにより、眼底Ｅｆにおける広範囲のスキャンが可能となる。
【００９４】
また、２以上の光学ユニット１１０には、たとえば、固定された光学ユニット（移動機構１２０により移動させることが不可能な光学ユニット）が含まれていてもよい。この場合でも、制御部２１０は、２以上の光学ユニット１１０のうち少なくとも１つにおける走査光学系１１１と移動機構１２０とを連係して制御する。これにより、２以上の光学ユニット１１０の少なくとも１つの旋回と、走査光学系１１１による偏向とを組み合わせることにより、眼底Ｅｆにおける広範囲のスキャンが可能となる。
【００９５】
また、制御部２１０は、被検眼Ｅの後眼部の所定領域を走査するように２以上の光学ユニット１１０からの２以上の光の照射位置を移動させることが可能である。たとえば、２以上の光学ユニット１１０により互いに異なるサブスキャン領域内で光の照射位置を移動させることにより、高速化を図ることができる。
【００９６】
図５に、この実施形態に係る走査態様の一例を示す。図５は、測定ユニット１００が２つの光学ユニット１１０を有する場合の走査態様の一例を表す。なお、図５において、図３と同様の部分には同一符号を付し、適宜説明を省略する。
【００９７】
制御部２１０は、既定の移動パターンに従って移動機構１２０を制御することにより、２つの光学ユニット１１０により走査される領域として、互いに異なる行方向に並ぶサブスキャン領域に順次に移動させてもよい。たとえば、制御部２１０は、２つの光学ユニット１１０の一方についてサブスキャン領域ＳＲ１、ＳＲ２、ＳＲ３、・・・に順次に移動させ、他方についてサブスキャン領域ＳＲ１１、ＳＲ１２、ＳＲ１３、・・・に順次に移動させる。このとき、移動パターンにより、移動前のサブスキャン領域の一部に重複するように次のサブスキャン領域に移動させる（重複エリアＣＲ１、ＣＲ２、・・・、ＣＲ１１、ＣＲ１２、・・・）。また、制御部２１０は、移動パターンにより、隣接する列方向のサブスキャン領域の一部に重複するようにサブスキャン領域に移動させる（重複エリアＣＲ０１、ＣＲ０２、・・・）。制御部２１０は、偏向パターンに基づいて、各サブスキャン領域（被検眼Ｅの後眼部の所定領域）をラスター走査するように光源１４０からの光の照射位置を移動させる。
【００９８】
また、制御部２１０は、２つの光学ユニット１１０の一方についてサブスキャン領域ＳＲ１、ＳＲ１２、ＳＲ３、・・・の順序で移動させ、他方についてサブスキャン領域ＳＲ１１、ＳＲ２、ＳＲ１３、・・・の順序で移動させ、２つの光学ユニット１１０が移動されるサブスキャン領域の行を交互に切り替えてもよい。
【００９９】
［作用・効果］
この実施形態に係る眼科装置の作用および効果について説明する。
【０１００】
この実施形態に係る眼科装置は、２以上の光学ユニットを含み、移動機構は、２以上の光学ユニットのうち少なくとも１つを瞳位置またはその近傍位置を基準に移動角度範囲内で移動させ、制御部は、２以上の光学ユニットのうち少なくとも１つにおける走査光学系と移動機構とを連係して制御してもよい。
【０１０１】
また、制御部は、後眼部の所定領域を走査するように２以上の光学ユニットからの２以上の光の照射位置を移動させてもよい。
【０１０２】
このような構成によれば、２以上の光学ユニットにより後眼部の所定範囲について並行して走査することができるので、後眼部の広い範囲を高速に走査することが可能となる。
【０１０３】
〔第３実施形態〕
上記の実施形態では、光学ユニット１１０が走査型レーザー検眼鏡の機能を実現する光学系を有する場合について説明したが、この実施形態に係る眼科装置の構成はこれに限定されるものではない。光学ユニット１１０の受光系１１３が、干渉光学系を含み、ＯＣＴにより被検眼Ｅの眼底Ｅｆの断層像を取得することが可能である。
【０１０４】
この実施形態では、受光系１１３に含まれる干渉光学系は、光源１４０から出力された低コヒーレンス光を参照光と測定光とに分割し、図示しない参照物体を経由した参照光と眼底Ｅｆを経由した測定光とを重畳して干渉光を生成する。また、受光系１１３は、検出部を有する。検出部は、たとえば、コリメートレンズと、回折格子と、結像レンズと、ＣＣＤ（Ｃｈａｒｇｅ  Ｃｏｕｐｌｅｄ  Ｄｅｖｉｃｅ）とを含んで構成される。検出部に入射した干渉光は、コリメータレンズにより平行光束とされた後、回折格子によって分光（スペクトル分解）される。分光された干渉光は、結像レンズによってＣＣＤの撮像面上に結像される。ＣＣＤは、この干渉光を受光して電気的な検出信号に変換し、この検出信号をデータ処理部２２０に出力する。データ処理部２２０は、干渉光に対応した信号を解析して眼底Ｅｆの画像を形成する。
【０１０５】
この場合、光源１４０は、低コヒーレンス光を出力するスーパールミネセントダイオード（ＳＬＤ）や発光ダイオード（ＬＥＤ）等の広帯域光源により構成されている。低コヒーレンス光は、たとえば、近赤外領域の波長を有し、かつ、数十マイクロメートル程度の時間的コヒーレンス長を有する光とされる。
【０１０６】
なお、この実施形態では、光学ユニット１１０がスペクトラルドメインタイプの光学系を有するものとして説明したが、スウェプトソースタイプの光学系を有していてもよい。この場合、光源１４０には波長掃引光源が設けられるとともに、検出部には干渉光をスペクトル分解する光学部材ではなくフォトディテクタが設けられる。検出部は、フォトディテクタの検出結果（検出信号）をデータ処理部２２０に送る。データ処理部２２０は、たとえばＡスキャンライン毎に、フォトディテクタの検出結果に基づくスペクトル分布にフーリエ変換等を施すことで断層像を形成する。なお、干渉光学系の構成については、ＯＣＴのタイプに応じた公知の技術を任意に適用することができる。
【０１０７】
この実施形態では、制御部２１０は、被検眼Ｅの後眼部の所定領域を円形ラジアル走査するように光源１４０からの光の照射位置を移動させることが可能である。
【０１０８】
図６〜図８に、この実施形態に係る走査態様の一例を示す。図６〜図８において、図３と同様の部分には同一符号を付し、適宜説明を省略する。
【０１０９】
制御部２１０は、眼底Ｅｆの所定位置を中心にＣ１方向に円を描くようにラジアル方向のサブスキャン領域ＲＲを移動させながら、各サブスキャン領域ＲＲ内で光の照射位置を移動させる（図６）。これにより、円形ラジアル走査で取得された眼底Ｅｆの断層像の取得が可能となる。
【０１１０】
また、制御部２１０は、図７に示すように、サブスキャン領域ＲＲが高密度となるように走査光学系１１１および移動機構１２０を連係して制御することにより、眼底Ｅｆの高精細な断層像を取得することができる。また、図８に示すように、制御部２１０は、眼底Ｅｆの複数の位置を中心に円形ラジアル走査を行わせることにより、高密度で眼底Ｅｆの高精細な断層像を取得することができる。
【０１１１】
この実施形態において、データ処理部２２０は、２次元または３次元の断層像データを取得し、Ａスキャン画像、Ｂスキャン画像、正面画像、３次元画像などを形成することが可能である。正面画像の例として、Ｃスキャン画像、プロジェクション画像、平坦化画像、またはシャドウグラムなどがある。また、データ処理部２２０は、眼底Ｅｆの動的特性抽出した、断層画像、正面画像、３次元画像などを形成することが可能である。
【０１１２】
〔その他〕
実施形態に係る眼科装置の構成は、上記の実施形態で説明した構成に限定されるものではない。実施形態に係る眼科装置は、上記のようにレーザー治療装置に適用することが可能である。この場合、光学ユニット１１０は、レーザー光を被検眼Ｅの眼底Ｅｆに照射する投影系と、制御部２１０による制御を受けて既定のレーザーパターンに従ってレーザー光を偏向する走査光学系１１１とを含んで構成される。
【０１１３】
また、実施形態に係る眼科装置は、上記のように視野計に適用することが可能である。この場合、光学ユニット１１０は、可視光などを被検眼Ｅの眼底Ｅｆに照射する投影系と、制御部２１０による制御を受け所望の検査位置に照射するように可視光などを偏向する走査光学系１１１とを含んで構成される。
【０１１４】
また、実施形態に係る眼科装置において、光学ユニット１１０は、網膜を刺激する手段を含んで構成されていてもよい。このような眼科装置によれば、網膜に刺激を与える前の画像（眼底Ｅｆの正面画像や眼底Ｅｆの断層像）と網膜に刺激を与えた後の画像（眼底Ｅｆの正面画像や眼底Ｅｆの断層像）とを比較して網膜神経機能などを検査することができるようになる。
【０１１５】
また、実施形態に係る眼科装置は、たとえば、可視光をフラッシュ発光して得られるカラー画像、近赤外光若しくは可視光を照明光として用いたモノクロの静止画像、フルオレセイン蛍光画像、インドシアニングリーン蛍光画像、自発蛍光画像などの取得が可能な眼底撮影装置や、血管造影や血流測定が可能な装置に適用することも可能である。
【０１１６】
また、ユーザインターフェイス２３０を用いてユーザによりサブスキャン領域のサイズや形状の変更が可能にしてもよい。この場合、制御部２１０は、変更されたサブスキャン領域のサイズや形状に応じて移動パターンを変更し、変更された移動パターンに従って移動機構１２０により光学ユニット１１０を移動させてもよい。
【０１１７】
また、制御部２１０は、光学ユニット１１０の光軸の向き（撮影方向）に応じて、光学ユニット１１０の旋回中心の位置をシフトさせるようにしてもよい。
【０１１８】
以上に説明した構成は、この発明を好適に実施するための一例に過ぎない。よって、この発明の要旨の範囲内における任意の変形（省略、置換、付加など）を適宜に施すことが可能である。
【符号の説明】
【０１１９】
１  眼科装置
１００  測定ユニット
１１０  光学ユニット
１１１  走査光学系
１１２  投影系
１１３  受光系
１２０  移動機構
１３０  駆動部
１４０  光源
１５０  固視系
１６０  固視標制御部
１７０  アライメント系
２００  処理ユニット
２１０  制御部
２２０  データ処理部
２３０  ユーザインターフェイス
Ｅ  被検眼
Ｅｆ  眼底
Ｐ  瞳位置
【図１】
2018187431.tif 000003
【図２】
2018187431.tif 000004
【図３】
2018187431.tif 000005
【図４】
2018187431.tif 000006
【図５】
2018187431.tif 000007
【図６】
2018187431.tif 000008
【図７】
2018187431.tif 000009
【図８】
2018187431.tif 000010